(57)【要約】      （修正有）【課題】生産が迅速で、見た目が美しく、コストが低いヘアアクセサリーの滑止め構造を提供する。【解決手段】ヘアアクセサリーの挟持面上に、複数の弾性シリコン柱３或いはプラスチック柱を形成する。使用時には毛髪を各シリコン柱３或いはプラスチック柱の間に分布させることで、ヘアアクセサリーの滑止めを大幅に向上させることができる。ヘアアクセサリーの加工過程では、ヘアアクセサリーと形状が合致する専用の金型２をヘアアクセサリーの挟持面上に用い、複数のシリコン柱３或いはプラスチック柱を直接射出成型して形成する。これによりシリコン柱３或いはプラスチック柱を金型２において射出する時、その底面はヘアアクセサリー表面と直接粘着結合する。こうしてヘアアクセサリーの挟持面上には、複数のシリコン柱３或いはプラスチック柱が形成され、生産が迅速で、見た目が美しく、しかもコストが低いという特性を備える。【選択図】図１
0003202874.tif 000002
【実用新案登録請求の範囲】
【請求項１】
ヘアアクセサリーの滑止め構造であって、
前記ヘアアクセサリーの挟持面の形状と合致する専用の金型を用い、前記ヘアアクセサリーの挟持面上に、複数の弾性シリコン柱、或いはプラスチック柱を射出成型し、
使用時には、毛髪を、前記各複数のシリコン柱、或いはプラスチック柱の間に分布させることで、ヘアアクセサリーの滑止め効果を大幅に向上させられ、並びに生産が迅速で、見た目が美しく、コストが低いという特性を備えることを特徴とするヘアアクセサリーの滑止め構造。
【請求項２】
前記ヘアアクセサリーは、髪束リングで、
前記髪束リングを構成する束帯紐の一面或いは両面に、形状が合致する専用の金型を用い、
前記金型底部において、前記束帯紐に形成する必要があるシリコン柱と対応位置の底部に、複数のシリコン柱型穴を設置し、前記金型を通して、前記束帯紐表面の編織層上に、複数のシリコン柱、或いはプラスチック柱を射出し粘着結合して形成し、
さらに、表面に複数のシリコン柱、或いはプラスチック柱を形成する束帯紐を、必要な長さに裁断し、その両端の粘着接続端を粘着接続し、髪束リングを形成することを特徴とする請求項１に記載のヘアアクセサリーの滑止め構造。
【請求項３】
前記ヘアアクセサリーは、弾力片ヘアクリップで、
前記弾力片ヘアクリップの両挟持枠の挟持面上には、両挟持枠と形状が合致する専用の金型を通して、
前記金型底面には、各種配列を呈する複数のシリコン柱型穴を設置し、前記金型により、前記弾力片ヘアクリップの挟持枠の挟持面上には、複数のシリコン柱、或いはプラスチック柱を射出成型し、
これにより、シリコン柱、或いはプラスチック柱は、金型射出時に、その底面と両挟持枠の挟持面との間は直接粘着結合することを特徴とする請求項１に記載のヘアアクセサリーの滑止め構造。
【請求項４】
前記ヘアアクセサリーは、多数の爪状挟持片を有するヘアクリップで、
前記多数の爪状挟持片を有するヘアクリップは、それぞれ挟持片及び各挟爪と形状が合致する専用金型を用い、
前記金型底面は、前記挟持片及び前記各挟爪に形成する必要があるシリコン柱の対応する位置の底部に、各種配列を呈する複数のシリコン柱型穴を設置し、
前記金型により、前記挟持片及び前記各挟爪の挟持面上に、複数のシリコン柱、或いはプラスチック柱を射出成型し、ヘアアクセサリーの滑止め効果を向上させることを特徴とする請求項１に記載のヘアアクセサリーの滑止め構造。
【請求項５】
前記シリコン柱、或いはプラスチック柱は、端部に湾曲カギ部を形成でき、
前記複数の湾曲カギ部により毛髪を引っ掛け、滑止め効果を向上させることを特徴とする請求項１に記載のヘアアクセサリーの滑止め構造。
【考案の詳細な説明】
【技術分野】
【０００１】
本考案はヘアアクセサリーの滑止め構造に関し、特にヘアアクセサリーの挟持面上に複数の弾性シリコン柱或いはプラスチック柱を形成し、毛髪を複数の弾性シリコン柱或いはプラスチック柱の間に分布させ、こうしてヘアアクセサリーの滑止め効果を大幅に高めることができるヘアアクセサリーの滑止め構造に関する。
【背景技術】
【０００２】
従来のヘアアクセサリーは、使用時に、しっかり挟持するため、多くは、ヘアアクセサリーの挟持面上に、複数の各種凸紋を設計している。しかし、プラスチック製であろうと、金属製であろうと、それが形成する凸紋の高さには制限がある。凸紋の高さが高過ぎれば、生産コストが高くなり、しかも美観を壊し、重量を拡大してしまう。凸紋の高さが不十分なら、その滑止め効果は不良である。
【０００３】
そのため、業者は従来のヘアアクセサリー上に、柱歯８１を設置し、滑止めの目的を達成しようとしている。図１０、図１１に示す通り、それは、金型により、表面に多数の柱歯８１を形成する接着紐８を射出成型する。さらに、接着紐８を、ヘアクリップ７の各挟爪片７１内面にそれぞれ接着し、これにより毛髪が各柱歯８１間に入ると、挟持効果を向上させることができる。
しかしながら、この種の設計は、たくさんの加工プロセスを必要とするため、生産コストが拡大し、しかも美観に悪影響を及ぼし、重量も増加してしまう。
【考案の概要】
【考案が解決しようとする課題】
【０００４】
本考案の目的は、ヘアアクセサリーの挟持面に、複数のシリコン柱或いはプラスチック柱を形成し、使用時には、毛髪を各シリコン柱或いはプラスチック柱の間に分布させることでヘアアクセサリーの滑止め効果を向上させられる。
【課題を解決するための手段】
【０００５】
上記目的を達成するために、本考案によるヘアアクセサリーの滑止め構造は、加工の過程において、該ヘアアクセサリーの形状と合致する専用の金型を用い、該ヘアアクセサリーの挟持面上に、複数のシリコン柱、或いはプラスチック柱を直接射出成型し、これによりシリコン柱、或いはプラスチック柱を金型において射出する時、その底面はヘアアクセサリー表面と直接粘着結合し、こうしてヘアアクセサリーの挟持面上には、複数の弾性シリコン柱或いはプラスチック柱が形成され、生産が迅速で、見た目が美しく、しかもコストが低いという特性を備える。
【考案の効果】
【０００６】
本考案は、ヘアアクセサリーの挟持面上に複数の弾性シリコン柱或いはプラスチック柱を形成し、使用時には毛髪を複数のシリコン柱或いはプラスチック柱の間に分布させ、こうしてヘアアクセサリーの滑止め効果を大幅に高めることができ、ヘアアクセサリーの加工過程では、ヘアアクセサリーの形状と合致する専用の金型をヘアアクセサリーの挟持面に用い、複数のシリコン柱或いはプラスチック柱を直接射出成型して形成し、これによりシリコン柱或いはプラスチック柱を金型において射出する時、その底面はヘアアクセサリー表面と直接粘着結合し、こうしてヘアアクセサリーの挟持面上には、複数の弾性シリコン柱或いはプラスチック柱が形成され、生産が迅速で、見た目が美しく、しかもコストが低いという特性を備えるヘアアクセサリーの滑止め構造に関する。
【図面の簡単な説明】
【０００７】
【図１】本考案の一実施形態による金型により、内に弾性体を有し、外部は編織層で覆う束帯紐の一面に各種配列を呈する複数のシリコン柱或いはプラスチック柱を射出成型する実施形態の断面図である。
【図２】図１に示す加工プロセスを経た後に、編織層表面に複数のシリコン柱或いはプラスチック柱を形成する実施形態の立体図である。
【図３】本考案において、表面に複数のシリコン柱或いはプラスチック柱を形成する束帯紐を必要な長さに裁断し、その両端を粘着結合して、ヘアクリップを形成する時の実施形態立体図である。
【図４】本考案による別種の未完成品の弾性ヘアクリップの挟持面上にシリコン柱或いはプラスチック柱を射出成型するヘアクリップの未完成品の模式図である。
【図５】図４に示す未完成品のヘアクリップの両挟持枠の挟持面上に、金型を用いて、複数のシリコン柱或いはプラスチック柱を射出成型する様子の断面図である。
【図６】図５に示す通り金型により射出完成後に、ヘアクリップの両挟持枠上に、複数のシリコン柱或いはプラスチック柱を形成する立体図である。
【図７】図６に示すヘアクリップの実際に使用時の側面図である。
【図８】本考案による別種のヘアクリップの各挟爪内面に各種配列を呈する複数のシリコン柱或いはプラスチック柱を直接射出成型する実施形態図である。
【図９】本考案によるシリコン柱或いはプラスチック柱の別種の実施形態図である。
【図１０】従来のヘアクリップの滑止め設計の構造図である。
【図１１】図１０に示す従来のヘアクリップに接着する接着紐の模式図である。
【考案を実施するための形態】
【０００８】
本考案の技術内容、構造特徴、達成する目的を詳細に説明するため、以下に実施例を挙げ並びに図面を組み合わせて説明する。
【０００９】
図３、図６、図８は、本考案の三種の実施形態を示す。それは主に、ヘアアクセサリーの挟持面上に複数の弾性シリコン柱３、或いはプラスチック柱を形成する。
使用時には、毛髪Ａを各複数のシリコン柱３、或いはプラスチック柱の間に分布させる。こうして、ヘアアクセサリーの滑止め効果を大幅に向上させることができる。並びに本考案の実施形態は、生産が迅速で、見た目が美しく、しかもコストが低いという特性を備える。
【００１０】
図１、図２、図３に示す通り、本考案一実施形態による髪束リング１３は、髪束リング１３の一面、或いは両面上に、複数の弾性シリコン柱３、或いはプラスチック柱を形成する。
使用時には、毛髪Ａを各シリコン柱３、或いはプラスチック柱の間に分布させ、こうしてヘアアクセサリーの滑止め効果を大幅に向上させることができる。
【００１１】
髪束リング１３は、内に弾性体１１を有し、外部は編織層１２で覆う束帯紐１を材料とする。さらに、束帯紐１と形状が合致する専用金型２を用いる。金型２底部と、束帯紐１に形成する必要があるシリコン柱３と対応する位置の底部に、複数のシリコン柱型穴２３を形成する。金型２は、束帯紐１表面編織層１２上に、各種配列を呈する複数のシリコン柱３、或いはプラスチック柱を粘着結合して形成する。さらに、表面に複数のシリコン柱３、或いはプラスチック柱を形成する束帯紐１を、必要な長さに裁断し、その両端の粘着接続端１１１を粘着接続し、髪束リング１３を形成する。
【００１２】
金型２底面には、各種配列が可能な複数のシリコン柱型穴２３、注料口２１、各シリコン柱型穴２３に通じる複数のシリコン通路２２を設置する。束帯紐１を、金型２下方に定位し、シリコン、或いはプラスチックを、金型２の注料口２１から注入すると、シリコン通路２２を経て、各シリコン柱型穴２３へと流れ至る。これにより、冷却後に型を外すと、束帯紐１表面の編織層１２上には、各種配列を呈する複数のシリコン柱３、或いはプラスチック柱が形成されており、こうしてヘアアクセサリーの滑止め効果を向上させる。
【００１３】
図４、図５、図６、図７に示す通り、本考案一実施形態による弾力片ヘアクリップ４は、その両挟持枠４１の挟持面上に、複数の弾性シリコン柱３、或いはプラスチック柱を形成する。
使用時には、毛髪Ａを各複数のシリコン柱３、或いはプラスチック柱の間に分布させる。並びに、もともと弾力片ヘアクリップ４の中央挟片４２に形成されている波型湾曲部４２１により、ヘアアクセサリーの滑止め効果を大幅に向上させることができる。
【００１４】
未完成品の弾力片ヘアクリップ４（図４参照）は、中央挟片４２の波型湾曲部４２１の加工を先ず完成させることができる。
次に、両挟持枠４１の挟持面上に、弾力片ヘアクリップ４両挟持枠４１と形状が合致する専用金型５により、前記金型５底面には、各種配列とできる複数のシリコン柱型穴５３を設置する。弾力片ヘアクリップ４両挟持枠４１の挟持面上に、複数のシリコン柱３、或いはプラスチック柱を射出成型する。
これにより、シリコン柱３、或いはプラスチック柱は、金型５において射出される時、その底面は、両挟持枠４１の挟持面と粘着結合し、弾力片ヘアクリップ４両挟持枠４１端部のリベット接合孔４１１を、両挟持枠４１端部にリベット接合し、完成することができる。
【００１５】
金型５底面には、各種配列が可能な複数のシリコン柱型穴５３、注料口５１、各シリコン柱型穴５３に通じる複数のシリコン通路５２を設置する。
金型５と弾力片ヘアクリップ４両挟持枠４１に形成する必要があるシリコン柱３と対応する位置の底部に、複数のシリコン柱型穴５３を形成する。
弾力片ヘアクリップ４を、金型５底部に定位し、弾力片ヘアクリップ４両挟持枠４１の挟持面上に、複数のシリコン柱３、或いはプラスチック柱を射出成型することができる。
これにより、シリコン柱３、或いはプラスチック柱は、金型５において射出される時、その底面は、両挟持枠４１の挟持面と粘着結合し、弾力片ヘアクリップ４両挟持枠４１の挟持面上には、複数のシリコン柱３、或いはプラスチック柱が射出成型される。
【００１６】
最後に図８に示す通り、本考案一実施形態による多数爪状挟持片６１を有するヘアクリップ６は、各爪状挟持片６１の挟爪６２内の挟持面６３に、各種配列を呈する複数のシリコン柱３、或いはプラスチック柱を形成する。
使用時には、毛髪Ａを各複数のシリコン柱３、或いはプラスチック柱の間に分布させ、こうしてヘアアクセサリーの滑止め効果を大幅に向上させることができる。
【００１７】
組み立て未完成品の多数の爪状挟持片６１において、それぞれ挟持片６１及び各挟爪６２と形状が合致する専用金型２を用いる。
金型２底面は、挟持片６１及び各挟爪６２に形成する必要があるシリコン柱３の対応する位置の底部に、各種配列を呈する複数のシリコン柱型穴２３を設置する。
金型２により、挟持片６１及び各挟爪６２の挟持面６３上に、複数のシリコン柱３、或いはプラスチック柱を射出成型し、ヘアアクセサリーの滑止め効果を向上させることができる。
【００１８】
金型２底面には、各種配列とできる複数のシリコン柱型穴２３、注料口２１、各シリコン柱型穴２３に通じる複数のシリコン通路２２を設置する。
各シリコン柱型穴２３は、金型２と挟持片６１及び各挟爪６２が形成する必要があるシリコン柱３の対応する位置の底部に、設置され、挟持片６１を金型２底部に定位し、金型２により、挟持片６１及び各挟爪６２の挟持面６３上に、複数のシリコン柱３、或いはプラスチック柱が射出成型される。
これにより、シリコン柱３、或いはプラスチック柱が、金型２において直接射出成型される時、その底面と挟持片６１及び各挟爪６２の挟持面６３とは即時に粘着結合し、両挟持片６１を枢接組み合わせて完成する。
【００１９】
前記のシリコン柱３、或いはプラスチック柱の別種の実施形態では、端部に湾曲カギ部３１’を有するシリコン柱３’、或いはプラスチック柱とすることもできる。
複数の湾曲カギ部３１’により毛髪Ａを引っ掛け、滑止め効果を向上させることができる（図９参照）。
【００２０】
本考案は、ヘアアクセサリーの滑止めを大幅に向上させられ、しかも生産が迅速で、見た目が美しく、コストが低いという特性を備える。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２２】
１  束帯紐
１１  弾性体
１１１  粘着接続端
１２  編織層
１３  髪束リング
２  金型
２１  柱料口
２２  シリコン通路
２３  シリコン柱型穴
３  シリコン柱
３’  シリコン柱
３１’  湾曲カギ部
４  弾力片ヘアクリップ
４１  挟持枠
４１１  リベット接合孔
４２  中央挟片
４２１  波型湾曲部
５  金型
５１  柱料口
５２  シリコン通路
５３  シリコン柱型穴
６  ヘアクリップ
６１  挟持片
６２  挟爪
６３  挟持面
７  ヘアクリップ
７１  挟爪片
８  接着紐
８１  柱歯
Ａ  毛髪
【図１】
0003202874.tif 000003
【図２】
0003202874.tif 000004
【図３】
0003202874.tif 000005
【図４】
0003202874.tif 000006
【図５】
0003202874.tif 000007
【図６】
0003202874.tif 000008
【図７】
0003202874.tif 000009
【図８】
0003202874.tif 000010
【図９】
0003202874.tif 000011
【図１０】
0003202874.tif 000012
【図１１】
0003202874.tif 000013